(57)【要約】【課題】精子の増殖機能及び着用性に優れた男性用ブリーフを安価に提供する。【解決手段】股間及び腰回りを覆うように形成され、前部に陰嚢Ａを出し入れ可能にする開口４を有するブリーフ本体２と、開口４より出された陰嚢Ａを収容可能で、ブリーフ本体２の前面に着脱自在に取り付けられ、少なくとも陰嚢Ａの重量を支える下半部がブリーフ本体２よりも風通しの良い生地からなる陰嚢ふんどし３とを備え、好ましくは開口４の周縁に、開口４を狭める方向に復元力が働く弾性体５（帯）が縫合されていることを特徴とする。【選択図】図１
2010265555.tif 000002
【特許請求の範囲】
【請求項１】
股間及び腰回りを覆うように形成され、前部に陰嚢を出し入れ可能にする開口を有するブリーフ本体と、
前記開口より出された陰嚢を収容可能で、前記ブリーフ本体の前面に着脱自在に取り付けられ、少なくとも陰嚢の重量を支える下半部がブリーフ本体よりも風通しの良い生地からなる陰嚢ふんどしと
を備えることを特徴とする男性用ブリーフ。
【請求項２】
前記開口の周縁に、開口を狭める方向に復元力が働く弾性体が縫合されている請求項１に記載のブリーフ。
【請求項３】
前記陰嚢ふんどしは、陰嚢当接部が膨らみをもって形成されている請求項１に記載のブリーフ。
【請求項４】
前記陰嚢ふんどしは、その上端が前記ブリーフ本体の上端部にゴムバンドを介して弾力的に変位可能に取り付けられ、下端が前記ブリーフ本体の下端部に面ファスナー、フック、ボタン及びクリップのうち一種以上を介して定位置を保つように取り付けられている請求項１に記載のブリーフ。
【請求項５】
前記陰嚢ふんどしは、その上端が前記ブリーフ本体の上端部に取り付け位置選択可能な止め輪又は長さ調節可能なバンドを介して変位可能に取り付けられている請求項１に記載のブリーフ。
【請求項６】
前記陰嚢ふんどしは、その上端がＵ字ないしＶ字状をなしている請求項１に記載のブリーフ。
【請求項７】
更に、非透視性の生地からなり、上端が前記陰嚢ふんどしの上半部に固定され、下端が自由にされて前記陰嚢ふんどしの下半部を正面から隠すスカートを備える請求項１に記載のブリーフ。
【発明の詳細な説明】
【技術分野】
【０００１】
この発明は、男性用ブリーフに関し、特に精子の増殖機能に優れたブリーフに関する。
【背景技術】
【０００２】
睾丸が精子を作り出すには体温より数度低い状態が最適である。従って、体にぴったりとして陰茎の安定性を優先したブリーフは、熱をこもらすので精子の生産には適していない。一方、風通しを優先したトランクスは、陰茎の安定性に劣る。
そこで、例えばＹ字形またはＵ字形の遊離用バンドをパンツの内側に取り付けて、陰嚢を体から遊離させるようにしたパンツ（特許文献１）、前部に陰茎及び陰嚢を出す穴を設け、上端から垂らした布で隠すようにしたパンツ（特許文献２）、陰茎袋及び陰嚢袋をそれぞれ本体から外側に突出させて設け、陰嚢袋を通気性のよい生地で作った袋付き下着（特許文献３）などが提案されている。
【先行技術文献】
【特許文献】
【０００３】
【特許文献１】特表２０００−５１１２３８
【特許文献２】特開２００２−２３５２０１
【特許文献３】実用新案登録第３０８１８７４号
【発明の概要】
【発明が解決しようとする課題】
【０００４】
しかし、特許文献１に記載のパンツは、陰嚢の周囲に外気が出入りしないので、依然として熱がこもる。特許文献２に記載のパンツは、陰茎が露出しているので、隠し機能に劣るうえ残尿が滴り落ちてズボンを汚してしまう。特許文献３に記載の袋付き下着は、袋状に縫製するのに製造コストが著しく高くなるうえ、陰茎及び陰嚢を袋に収納するのが困難である。
それ故、この発明の課題は、精子の増殖機能及び着用性に優れた男性用ブリーフを安価に提供することにある。
【課題を解決するための手段】
【０００５】
その課題を解決するために、この発明のブリーフは、
股間及び腰回りを覆うように形成され、前部に陰嚢を出し入れ可能にする開口を有するブリーフ本体と、
前記開口より出された陰嚢を収容可能で、前記ブリーフ本体の前面に着脱自在に取り付けられ、少なくとも陰嚢の重量を支える下半部がブリーフ本体よりも風通しの良い生地からなる陰嚢ふんどしと
を備えることを特徴とする。
【０００６】
この発明のブリーフを着用するときは、陰茎はブリーフ本体内に収容した状態で陰嚢を開口から出して陰嚢ふんどしに収容しておく。陰嚢ふんどしは、少なくとも陰嚢の重量を支える下半部がブリーフ本体よりも風通しの良い生地からなるので、陰嚢を体温よりも数度低い温度に保つことができる。しかも着脱自在であるから、先ずブリーフ本体だけを着用し、陰嚢を開口から出した後に陰嚢ふんどしを着用することができる。陰茎はブリーフ本体内に収容されているので、小用後に残尿でズボンを汚すことはない。また、陰嚢ふんどしが着脱式であるので、ブリーフ本体と陰嚢ふんどしを互いに異なる頻度で洗濯し、洗濯時の傷みを軽減することができるほか、両者を個別に製造することにより製造コストを軽減することもできる。
【０００７】
この発明の好ましいブリーフは、前記開口の周縁に、開口を狭める方向に復元力が働く弾性体が縫合されているものである。弾性体の復元力に抗して開口を拡げることで陰嚢の導出を容易にしつつ、その復元力により陰嚢を常に中心位置に決めることができるうえ、運動時の衝撃でブリーフ本体内に陰嚢が戻るのを防ぐことができるからである。
前記陰嚢ふんどしは、好ましくは陰嚢当接部が膨らみをもって形成されている。陰嚢が安定して収容されるからである。また、前記陰嚢ふんどしは、その上端が前記ブリーフ本体の上端部にゴムバンドを介して弾力的に変位可能に取り付けられ、下端が前記ブリーフ本体の下端部に面ファスナー、フック、ボタン及びクリップのうち一種以上を介して定位置を保つように取り付けられているとよい。上端が弾力的に変位可能であるから、種々のサイズや位置の陰嚢を収容できるからである。ゴムバンドに代えて、取り付け位置選択可能な止め輪又は長さ調節可能なバンドを介して変位可能に取り付けられていてもよい。陰嚢が温度上昇に伴って放熱のために伸びるのに対応できるとともに、使用者の好みに応じて陰嚢の保持力を弱めたり強めたりすることができるからである。
【０００８】
更にまた、前記陰嚢ふんどしは、その上端がＵ字ないしＶ字状をなしていてもよい。Ｕ字ないしＶ字の底で陰茎をブリーフ本体の外から支持し、陰茎の位置を中央に保つことにより対称性による美を保つことができるからである。
この発明のブリーフは、ブリーフ本体及び陰嚢ふんどしに加えて更に、非透視性の生地からなり、上端が前記陰嚢ふんどしの上半部に固定され、下端が自由にされて前記陰嚢ふんどしの下半部を正面から隠すスカートを備えていてもよい。これにより正面からはスカートによって陰嚢が隠れるので、陰嚢ふんどし自体としては内部を透視できるほどに薄くもしくは目の粗くて通気性に富む生地を採用することができる。
【発明の効果】
【０００９】
以上の通り、この発明のブリーフによれば、陰嚢だけをブリーフ本体から出して通気性のよい陰嚢ふんどしに収容するので、精子の増殖機能及び着用性に優れる。また、ブリーフ本体と陰嚢ふんどしとは縫合されておらず、個別に製造されうるので安価である。
【図面の簡単な説明】
【００１０】
【図１】実施形態１に係るブリーフを示す分解斜視図である。
【図２】同ブリーフに適用されるブリーフ本体を示す正面図である。
【図３】同ブリーフに適用される陰嚢ふんどしを示す正面図である。
【図４】同じく背面図である。
【図５】ブリーフ本体を着用した状態を示す鉛直方向断面図である。
【図６】ブリーフを着用した状態を示す鉛直方向断面図である。
【図７】実施形態２に係るブリーフに適用される陰嚢ふんどしを示す正面図である。
【図８】同じく背面図である。
【図９】実施形態３に係るブリーフに適用される陰嚢ふんどしの取り付け手段であって、（ａ）は止め輪を示す正面図、（ｂ）は同右側面図、（ｄ）は止め輪とフックとの掛かり合いを示す正面図である。
【図１０】実施形態４に係るブリーフに適用される陰嚢ふんどしの取り付け手段であって、（ａ）は止め輪とフックとの掛かり合いを示す正面図、（ｂ）は鉛直方向断面図である。
【発明を実施するための形態】
【００１１】
−実施形態１−
この発明の第一の実施形態を図面とともに説明する。図１は実施形態に係るブリーフを示す分解斜視図、図２は同ブリーフに適用されるブリーフ本体を示す正面図、図３は同ブリーフに適用される陰嚢ふんどしを示す正面図、図４は同じく背面図である。ブリーフ１は、ブリーフ本体２及び陰嚢ふんどし３からなる。
【００１２】
ブリーフ本体２は、綿を主とする伸縮性の生地からなり、正面視逆台形をなし、成人男性の股間及び腰回りを覆うように形成され、前部の下端よりやや上に陰嚢を出し入れ可能にする円形の開口４が設けられている。開口４の周縁には、開口４を狭める方向に復元力が働くゴム製の帯５が周縁に沿って縫合されている。このため、開口４の直径は自由状態では３〜４ｃｍ程度で、復元力に抗して拡げると最大径１０ｃｍ程度の長孔になる。ブリーフ本体２は更に、前部上端付近の中央に６〜８ｃｍ程度の間隔を開けて固着された２つの止め輪６、６と、下端の両側に固着された２つの雌スナップボタン７、７を有する。
【００１３】
陰嚢ふんどし３は、ブリーフ本体２よりも目の粗い綿もしくは麻からなり、正面視で両端辺は直線に近い緩やかな曲線をなし、上端辺は中央が凹んだＵ字ないしＶ字状をなし、幅８〜１１ｃｍ、両端辺の長さ１４〜１７ｃｍの輪郭を有する。そして、下半部が絞られてやや膨らみをもっている。陰嚢ふんどし３の上端両側には長さ１ｃｍ前後のゴムバンド３ａ、３ａが縫い付けられ、その先に止め輪６、６と対をなして係り合うフック８、８が取り付けられている。また、下端両側には雌スナップボタン７、７と対をなして留め合う雄スナップボタン９、９が取り付けられている。尚、スナップボタンに代えて面ファスナーやクリップであってもよい。陰嚢ふんどし３の上端には上端辺に沿ってＵ字ないしＶ字状の支持帯３ｂが縫い付けられている。
【００１４】
ブリーフ１は、以下のようにして着用される。先ず、ブリーフ本体２をはいて開口４を拡げて図５に鉛直方向断面図で示すように陰嚢Ａを開口４から外に出す。陰嚢ふんどし３をブリーフ本体２の前部に当て、順不同で止め輪６、６にフック８、８を引っかけ、雌スナップボタン７、７に雄スナップボタン９、９を嵌合することにより、図６に鉛直方向断面図で示すように陰嚢ふんどし３をブリーフ本体２に固定する。陰嚢ふんどし３とブリーフ本体２との間に両側から手を入れることができるので、両者を固定してから、あるいはフック８、８及び雄スナップボタン９、９のいずれかを留めてから陰嚢Ａを開口４から取り出しても良い。陰嚢ふんどし３が、前記の幅を有し、前記の通り下半部がやや膨らんでいるので、開口４から出された陰嚢Ａは、その膨らみとブリーフ本体２の前面とで囲まれる空間に安定して収容される。
【００１５】
ブリーフ１を着用すると、陰嚢Ａに当接する陰嚢ふんどし３が、ブリーフ本体２よりも風通しの良い生地からなるので、陰嚢Ａを体温よりも数度低い温度に保つことができる。小用は従来のブリーフ同様にブリーフ本体２を下にずらすことにより、陰茎Ｂを出して済ますことができる。そして、陰茎Ｂはブリーフ本体２内に収容されているので、小用後に残尿でズボンを汚すことはない。しかも陰茎Ｂは、通常の長さの場合は陰嚢ふんどし３の上端辺で垂直上向きに支持され、短めの場合は支持帯３ｂで支持されるので、ブリーフ本体２内の中央に位置し、外観上美しく着心地もよい。また、陰嚢ふんどし３が着脱式であるので、ブリーフ本体と陰嚢ふんどしを互いに異なる頻度で洗濯し、洗濯時の傷みを軽減することができるほか、両者を個別に製造することにより製造コストを軽減することもできる。
【００１６】
陰嚢Ａは、帯５の復元力により常にほぼ中心位置に決められており、運動時に衝撃を受けてもブリーフ本体２内に戻ることがない。また、陰嚢ふんどし３は、その上端が前記ブリーフ本体２の上端部にゴムバンド３ａ、３ａを介して取り付けられているので、弾力的に変位可能であり、種々のサイズや位置の陰嚢を収容できる。
【００１７】
−実施形態２−
図７は第二の実施形態に係るブリーフに適用される陰嚢ふんどし及びスカートを示す正面図、図８は同じく背面図である。この実施形態では陰嚢ふんどしが実施形態１のものと異なり、陰嚢ふんどしにスカートが付けられている。ブリーフ本体２は実施形態１におけるものと同じであってよい。
【００１８】
陰嚢ふんどし１３は、正面視では上半部３１と下半部３２とで生地が異なる以外は実施形態１のものとほぼ同じ輪郭を有する。上半部３１はブリーフ本体２と同質もしくは同程度の目の粗さの生地からなり、下半部３２は実施形態１のものよりも通気性のよい網からなる。そして、上半部３１には下半部３２との縫合線よりも下方に数ｃｍ垂れるスカート３３が一体的に設けられている。従って、正面からはスカート３３によって陰嚢Ａが隠れる一方、陰嚢Ａに対しては下半部より十分に風が通り、実施形態１のブリーフよりも陰嚢を低温に保つことができる。
【００１９】
−実施形態３−
図９は第三の実施形態に係るブリーフに適用される陰嚢ふんどしの取り付け手段であって、（ａ）は止め輪を示す正面図、（ｂ）は同右側面図、（ｄ）は止め輪とフックとの掛かり合いを示す正面図である。
止め輪１６は、鉛直方向の四個所にフック８が掛かり合い可能な輪を有しており、使用者は自分の好む位置の輪にフック８を掛けることができる。従って、陰嚢Ａが温度上昇に伴って放熱のために伸びるのに対応できるとともに、使用者の好みに応じて陰嚢Ａの保持力を弱めたり強めたりすることができる。図示は、二段目に掛けている状態を示している。
【００２０】
−実施形態４−
図１０は第四の実施形態に係るブリーフに適用される陰嚢ふんどしの取り付け手段であって、（ａ）は止め輪とフックとの掛かり合いを示す正面図、（ｂ）は鉛直方向断面図である。
バンド３ｃは、実施形態１と異なり非弾性生地からなり、スライダー３ｄを上下させることにより、陰嚢ふんどし３の上端からフック８までの長さを連続的に調節可能である。従って、実施形態３よりも細かく放熱性及び保持力を調整することができる。
【符号の説明】
【００２１】
１  ブリーフ
２  ブリーフ本体
３  陰嚢ふんどし
４  開口
５  帯
３ａ  ゴムバンド
７、９  スナップボタン
３３  スカート
【図１】
2010265555.tif 000003
【図２】
2010265555.tif 000004
【図３】
2010265555.tif 000005
【図４】
2010265555.tif 000006
【図５】
2010265555.tif 000007
【図６】
2010265555.tif 000008
【図７】
2010265555.tif 000009
【図８】
2010265555.tif 000010
【図９】
2010265555.tif 000011
【図１０】
2010265555.tif 000012